(57)【特許請求の範囲】
【請求項１】
差込プラグ及びプラグ受を有する配線用の差込接続器であって、
周囲の音を集音し、電気信号からなる音信号を生成する集音部と、
前記音信号に基づいて検知対象とする複数種類のインパルス音の有無を検知し、前記インパルス音の発生を伴うイベントが発生したか否かを判定する判定部とを備え、
前記判定部は、
動作モードとして第１モードと第２モードとを有しており、
前記第１モードと前記第２モードとで検知対象である前記インパルス音の種類が異なり、
前記第１モードでは、前記複数種類のインパルス音のうち第１インパルス音を検知し、
前記第２モードでは、前記複数種類のインパルス音のうち第２インパルス音を検知し、
前記第１モードでは前記第２インパルス音を検知せず、前記第２モードでは前記第１インパルス音を検知しない
ことを特徴とする差込接続器。
【請求項２】
前記判定部の判定結果を外部機器に送信する通信部と、
前記差込プラグと前記プラグ受との電気的な接続を、オンとオフとに切り換えるスイッチと、
前記通信部と前記スイッチとを制御する制御部とを備え、
前記制御部は、前記判定部が、前記イベントが発生したと判定したときの前記動作モードに応じて、前記通信部と前記スイッチとの少なくとも一方を制御する
ことを特徴とする請求項１記載の差込接続器。
【請求項３】
前記制御部は、前記判定部が、前記イベントが発生したと判定したときの前記動作モードが前記第１モードである場合、前記通信部から前記外部機器に前記判定部の判定結果を送信させる
ことを特徴とする請求項２に記載の差込接続器。
【請求項４】
前記制御部は、前記判定部が、前記イベントが発生したと判定したときの前記動作モードが前記第２モードである場合、前記スイッチのオンとオフとを制御する
ことを特徴とする請求項２又は３に記載の差込接続器。
【請求項５】
前記判定部は、前記動作モードが前記第２モードであるとき、規定時間内に前記インパルス音を複数回検知した場合、前記イベントが発生したと判定する
ことを特徴とする請求項１〜４のいずれか１項に記載の差込接続器。
【請求項６】
前記判定部は、前記規定時間内における前記インパルス音の検知回数が上限回数を上回った場合、前記イベントが発生していないと判定する
ことを特徴とする請求項５に記載の差込接続器。
【請求項７】
前記集音部は、集音した音の音圧が大きくなるほど振幅の大きな前記音信号を生成し、
前記判定部は、前記動作モードが前記第１モードであるとき、前記インパルス音を検知してから判定時間内に、前記音信号の振幅が閾値以上となった場合、前記イベントが発生したと判定する
ことを特徴とする請求項１〜６のいずれか１項に記載の差込接続器。
【請求項８】
前記集音部が生成した前記音信号から低周波成分を除去して前記判定部に出力するフィルタを更に備える
ことを特徴とする請求項１〜７のいずれか１項に記載の差込接続器。
【発明の詳細な説明】
【技術分野】
【０００１】
本発明は、差込接続器に関する。
【背景技術】
【０００２】
従来、配線器具とは別の機能も備えた多機能型の差込接続器がある（例えば特許文献１参照）。特許文献１の差込接続器（電力計測タップ）は、自己に接続された電気機器に供給される電力を測定し、測定結果を示す電力消費情報を無線アダプタへ無線信号によって送信する。
【先行技術文献】
【特許文献】
【０００３】
【特許文献１】特開２０１４−１８５９６５号公報
【発明の概要】
【発明が解決しようとする課題】
【０００４】
多機能型の差込接続器においては、配線器具とは別の機能の使い勝手の良さも求められ、利便性の向上が望まれている。
【０００５】
本発明は、上記事由に鑑みてなされており、その目的は、利便性の向上を図ることができる差込接続器を提供することにある。
【課題を解決するための手段】
【０００６】
本発明の差込接続器は差込プラグ及びプラグ受を有する配線用の差込接続器であって、周囲の音を集音し、電気信号からなる音信号を生成する集音部と、前記音信号に基づいて検知対象とする複数種類のインパルス音の有無を検知し、前記インパルス音の発生を伴うイベントが発生したか否かを判定する判定部とを備え、前記判定部は、動作モードとして第１モードと第２モードとを有しており、前記第１モードと前記第２モードとで検知対象である前記インパルス音の種類が異なり、前記第１モードでは、前記複数種類のインパルス音のうち第１インパルス音を検知し、前記第２モードでは、前記複数種類のインパルス音のうち第２インパルス音を検知し、前記第１モードでは前記第２インパルス音を検知せず、前記第２モードでは前記第１インパルス音を検知しないことを特徴とする。
【発明の効果】
【０００７】
本発明の差込接続器では、利便性の向上を図ることができるという効果がある。
【図面の簡単な説明】
【０００８】
【図１】図１は、本発明の一実施形態に係る差込接続器のブロック図である。
【図２】図２Ａは、同上の差込接続器の外観斜視図である。図２Ｂは、同上の差込接続器をコンセントに接続し、かつ電源ケーブルが接続された状態の外観斜視図である。
【図３】図３は、同上の差込接続器の集音部が生成した音信号の第１例の波形図である。
【図４】図４は、同上の差込接続器の集音部が生成した音信号の第２例の波形図である。
【発明を実施するための形態】
【０００９】
以下、本発明の実施の形態を図面に基づいて説明する。以下の実施形態は、一般に差込接続器、より詳細には差込プラグ及びプラグ受を有する配線用の差込接続器に関する。なお、以下の実施形態において説明する図２Ａ、図２Ｂは、模式的な図であり、各構成要素の寸法比が必ずしも実際の寸法比を反映しているとは限らない。
【００１０】
（実施形態）
＜概要＞
図１に、本実施形態の差込接続器１のブロック図、図２Ａ及び図２Ｂに、差込接続器１の外観斜視図を示す。差込接続器１は、差込プラグ１１とプラグ受１２を有する配線用の差込接続器１（いわゆる電源タップ）である。差込接続器１は、差込接続器１の周囲においてインパルス音の発生を伴うイベントが発生した場合に所定の動作を実行するセキュリティセンサ、及びリモートコントローラとしての機能を有する。差込接続器１は、セキュリティセンサとして機能する場合、差込接続器１の周囲でインパルス音の発生を伴うイベントが発生すると外部機器に異常を通知する。また、差込接続器１は、リモートコントローラとして機能する場合、差込接続器１の周囲でインパルス音の発生を伴うイベントが発生すると電気機器４を制御する。
【００１１】
本実施形態でいう「インパルス音」とは、広帯域にわたって周波数成分が大きく、音圧が突発的に立ち上がり、及び立ち下がる音である。インパルス音の発生を伴うイベントの一例として、例えばガラスを叩く、物体と物体とが衝突する、手を叩く、指を鳴らす、ドアや壁をノックする等がある。インパルス音の一例として、例えばガラスを叩く音、衝突音、手を叩く音、指を鳴らす音、ノック音等がある。インパルス音は、インパルス音を発生させるイベントに応じて種類が異なる、より詳細には音響特性が異なる。ここでいう「音響特性」とは、音圧（SPL:Sound Pressure Level)、周波数特性、波形パターン（音圧の時間変化の特性）などを示す。なお、上記のインパルス音、及びイベントは、一例であって上記のインパルス音、及びイベントに限らない。
【００１２】
＜構成＞
以下に、本実施形態の差込接続器１の詳細な構成について説明する。
【００１３】
本実施形態の差込接続器１は、差込プラグ１１、プラグ受１２、スイッチ２１、集音部２２、記憶部２３、判定部２４、通信部２５、制御部２６、モード設定部２７、及びフィルタ２８を備えている。図２Ａ、図２Ｂに示すように、差込接続器１の筐体１０は、直方体形状に形成されている。
【００１４】
差込プラグ１１は、筐体１０の背面から突出した一対の接触子１１１を有しており、コンセント３（レセプタクル）のプラグ受３１に接続可能に構成されている。図２Ｂは、差込プラグ１１の一対の接触子１１１が、コンセント３のプラグ受３１が有する一対の挿通孔３１１に挿入された状態を示している。
【００１５】
プラグ受１２は、筐体１０の前面に形成された一対の挿通孔１２１を有しており、電気機器４の電源ケーブル４０の一端に設けられた差込プラグ４１が接続可能に構成されている。図２Ｂは、プラグ受１２の一対の挿通孔１２１に、電気機器４の電源ケーブル４０に設けられた差込プラグ４１が有する一対の接触子が挿入された状態を示している。また、図２Ｂでは、電気機器４の一例として、照明器具４００（フロアスタンド）を示している。電気機器４は、照明器具４００に限らず、他の機器であってもよい。
【００１６】
スイッチ２１は、例えばリレーで構成されており、差込プラグ１１とプラグ受１２との電気的な接続をオンとオフとに切り換える。スイッチ２１がオン状態である場合、差込プラグ１１とプラグ受１２とが電気的に接続される。スイッチ２１がオフ状態である場合、差込プラグ１１とプラグ受１２とが電気的に遮断される。したがって、図２Ｂに示す例では、スイッチ２１がオン状態である場合、商用電源３００（図１参照）から電気機器４（照明器具４００）に電源が供給され、スイッチ２１がオフ状態である場合、電気機器４には電源が供給されなくなる。スイッチ２１は、制御部２６によって制御される。なお、スイッチ２１は、リレーに限らず半導体スイッチで構成されていてもよい。
【００１７】
集音部２２は、例えばマイクロフォンで構成されており、筐体１０の前面に形成された円形の集音孔１３の内部に設けられている。集音部２２は、集音孔１３を通して差込接続器１の周囲で発生した音を集音し、集音した音を電気信号からなる音信号に変換する。この音信号の振幅の大きさは、集音部２２が集音した音の音圧が大きくなるほど大きくなる。集音部２２は、生成した音信号をフィルタ２８を介して判定部２４に出力する。なお、集音部２２は、音信号をアナログ信号として出力してもよいし、デジタル信号に変換して出力してもよい。
【００１８】
記憶部２３は、例えばＥＥＰＲＯＭ（Electrically Erasable Programmable Read-Only Memory）で構成されており、複数種類のインパルス音と１対１に対応する複数の基準データが格納されている。この基準データは、インパルス音を音信号に変換したデータである。
【００１９】
判定部２４は、集音部２２が生成した音信号に基づいて検知対象とする複数種類のインパルス音の有無を検知し、インパルス音の発生を伴うイベントが発生したか否かを判定する。
【００２０】
判定部２４は、集音部２２が生成した音信号と、記憶部２３に格納されている複数の基準データとを比較する。より詳細には、判定部２４は、集音部２２が生成した音信号の音響特性と、記憶部２３に格納されている複数の基準データの音響特性とを比較する。これにより、判定部２４は、インパルス音の種類を区別する。判定部２４は、集音部２２が生成した音信号と適合する基準データがある場合、この基準データに対応する種類のインパルス音が発生したと判断する。また、判定部２４は、集音部２２が生成した音信号と適合する基準データがない場合、インパルス音は発生していないと判断する。なお、「集音部２２が生成した音信号の音響特性と適合する基準データ」とは、集音部２２が生成した音信号の音響特性と類似した音響特性を有し、集音部２２が集音した音に対して同種であるとみなすことができるインパルス音に対応する基準データである。
【００２１】
また、判定部２４は、動作モードとして外出モード（第１モード）と在宅モード（第２モード）とを有しており、外出モードと在宅モードとで検知対象となるインパルス音の種類が異なるように構成されている。本実施形態では、外出モードには、ガラスを叩く音、衝突音等の、不意に発生するイベントによるインパルス音が検知対象に対応付けられている。また、在宅モードには、手を叩く音、指を鳴らす音、ノック音等の、ユーザが意図的に発生させるイベントによるインパルス音が検知対象に対応付けられている。判定部２４は、記憶部２３に格納された複数の基準データのうち、検知対象とする少なくとも１つのインパルス音の種類に対応する基準データと、集音部２２が生成した音信号とを比較することにより、検知対象とするインパルス音の有無を検知する。言い換えれば、判定部２４は、検知対象外のインパルス音の有無は検知しない。
【００２２】
判定部２４は、動作モードと、インパルス音の検知結果とに基づいて、インパルス音の発生を伴うイベントが発生したか否かを判定する。
【００２３】
判定部２４は、動作モードが外出モードであるとき、検知対象であるインパルス音の発生を検知してから判定時間Ｔ１内に、音信号の振幅が閾値Ｔｈ１以上となった場合、イベントが発生したと判定する（図３参照）。図３は、音信号の包絡線を概略的に示した波形図であり、判定時間Ｔ１内に音信号が閾値Ｔｈ１以上となった場合の例を表している。判定部２４は、インパルス音を検知すると計時を開始する計時部２４１を有しており、計時部２４１の計時結果が判定時間Ｔ１に達するまでの期間、音信号の振幅を監視している。判定時間Ｔ１は、例えば３０秒等に設定されている。
【００２４】
図３に示す例では、時刻ｔ１に判定部２４がインパルス音を検知し、計時部２４１の計時が開始する。インパルス音の発生後に発生した音により、時刻ｔ２から時刻ｔ３にわたって音信号の振幅が閾値Ｔｈ１を上回っており、判定部２４は、時刻ｔ３に、インパルス音の発生を伴うイベントが発生したと判定する。一方、判定時間Ｔ１内に音信号が閾値Ｔｈ１以上とならなかった場合、判定部２４は、インパルス音の発生を伴うイベントが発生していないと判定する。これにより、インパルス音の発生が単発である場合に、イベントの発生有無の誤判定を抑制することが可能となる。
【００２５】
また、判定部２４は、動作モードが在宅モードであるとき、規定時間Ｔ２内にインパルス音を複数回検知した場合、イベントが発生したと判定する（図４参照）。図４は、音信号の包絡線を概略的に示した波形図であり、規定時間Ｔ２内にインパルス音が４回発生した場合の例を表している。判定部２４は、インパルス音の検知回数をカウントするカウンタ２４２を有している。インパルス音が検知されると、計時部２４１が計時を開始し、カウンタ２４２は、規定時間Ｔ２内におけるインパルス音の検知回数をカウントする。計時部２４１は、規定時間Ｔ２の計測中である場合、インパルス音が検知されても計測時間はリセットせず、規定時間Ｔ２が経過すると規定時間Ｔ２の計測値をリセットする。規定時間Ｔ２は、例えば３秒等に設定されている。また、判定部２４は、インパルス音の時間間隔が所定時間（例えば２００ｍｓ）よりも短い場合、このインパルス音を検知しない。
【００２６】
図４に示す例では、時刻ｔ１１，ｔ１２，ｔ１３，ｔ１４に判定部２４がインパルス音を検知し、カウンタ２４２のカウント値が４回であるので、判定部２４は、インパルス音の発生を伴うイベントが発生したと判定する。一方、規定時間Ｔ２におけるインパルス音の検知回数が１回である場合、判定部２４は、インパルス音の発生を伴うイベントが発生していないと判定する。これにより、インパルス音の発生が単発である場合に、イベントの発生有無の誤判定を抑制することが可能となる。
【００２７】
更に、判定部２４は、カウンタ２４２のカウント値が上限回数（例えば１０回等）を上回った場合、インパルス音の発生を伴うイベントが発生していないと判定する。なお、判定部２４は、規定時間Ｔ２の前後の期間におけるインパルス音の発生有無に基づいて、インパルス音の発生を伴うイベントが発生しているか否かを判定するように構成されていてもよい。具体的には、規定時間Ｔ２内で検知された複数のインパルス音のうち、最初に検知したインパルス音の検知から所定時間前までの第１期間、及び最後に検知したインパルス音の検知から所定時間後までの第２期間とする。そして、判定部２４は、第１期間、及び第２期間にインパルス音を検知した場合、インパルス音の発生を伴うイベントが発生していないと判定する。
【００２８】
すなわち、インパルス音が連続的かつ継続的に発生している場合、規定時間Ｔ２の前後においてインパルス音を検知していない静音期間が短く、検知回数が上限回数を上回るので、判定部２４は、インパルス音の発生を伴うイベントが発生していないと判定する。これにより、判定部２４は、規定時間Ｔ２よりも長い時間にわたってインパルス音が連続的かつ継続的に発生している場合に、イベントの発生有無を誤判定することが抑制される。
【００２９】
また、判定部２４は、規定時間Ｔ２内におけるインパルス音の検知回数を、イベントの内容に対応付けている。例えば、判定部２４は、規定時間Ｔ２内で手を叩くことによって発生したインパルス音を２回検知した場合、手を２回叩くというイベントが発生したと判定する。
【００３０】
また、判定部２４は、インパルス音の時間間隔を計測するように構成されていてもよい。判定部２４は、所定の時間間隔で所定回数のインパルス音が発生した場合、イベントが発生した判定する。例えば、判定部２４は、手を叩くことによって発生したインパルス音を、０．５〜１秒の時間間隔で３回検知し、かつ３回目のインパルス音を検知してから１秒間インパルス音を検知しなかった場合、手を３回叩くというイベントが発生したと判定する。また、判定部２４は、所定のリズムで発生するインパルス音を検知した場合、所定のリズムで手を叩くというイベントが発生したと判定する。
【００３１】
通信部２５は、通信インターフェースで構成されており、サーバ５（外部機器）と通信可能に構成されている。具体的には、通信部２５は、通信装置５１を介してサーバ５と通信を行う。通信装置５１は、例えばモデム、光回線終端装置（ONU:Optical Network Unit）等であり、電気回線ＮＴ１（例えばインターネット回線）を介してサーバ５と通信可能に構成されている。
【００３２】
制御部２６は、例えばＣＰＵ（Central Processing Unit）、ＭＰＵ（Micro Processing Unit）等で構成されており、判定部２４の判定結果及び動作モードに応じて、スイッチ２１及び通信部２５を制御する。判定部２４が、動作モードが外出モードであるときにイベントが発生していると判定した場合、制御部２６は、通信部２５からサーバ５に判定部２４の判定結果を送信させる。また、制御部２６は、判定部２４が、動作モードが在宅モードであるときにイベントが発生していると判定した場合、発生したイベントの内容に応じてスイッチ２１をオン、又はオフする。例えば、制御部２６は、判定部２４が「手を２回叩く」というイベントが発生したと判定した場合にスイッチ２１をオンし、判定部２４が「手を４回叩く」というイベントが発生したと判定した場合にスイッチ２１をオフする。また、制御部２６は、例えば判定部２４が「手を２回叩く」というイベントが発生したと判定する度に、スイッチ２１のオンとオフとを切り替えるように制御してもよい。
【００３３】
モード設定部２７は、判定部２４の動作モードを外出モードと在宅モードとの一方に設定する。モード設定部２７は、通信部２５を介してサーバ５と通信可能に構成されており、サーバ５から受信した設定信号に基づいて、判定部２４の動作モードを外出モードと在宅モードとの一方に設定する。具体的には、ユーザは、例えば携帯端末６（例えばスマートフォン等）を操作して、判定部２４に設定する動作モードを、外出モードと在宅モードとから一方を選択する。携帯端末６は、選択された動作モードを、電気回線ＮＴ１を介してサーバ５に通知する。サーバ５は、携帯端末６からの通知内容に基づいて、判定部２４に設定する動作モードを表した設定信号を生成する。サーバ５は、生成した設定信号を、電気回線ＮＴ１を介してモード設定部２７に送信する。モード設定部２７は、受信した設定信号に基づいて、判定部２４の動作モードを外出モードと在宅モードとの一方に設定する。なお、判定部２４の動作モードを設定する方法は上記に限らず、ユーザが住宅に設けられた操作端末を操作して動作モードを選択することにより、モード設定部２７が判定部２４の動作モードを設定するように構成されていてもよい。また、差込接続器１に設けられた操作部（例えばスイッチ等）への操作内容に応じて、モード設定部２７が判定部２４の動作モードを設定するように構成されていてもよい。
【００３４】
また、サーバ５からモード設定部２７に送信される設定信号には、外出モード、在宅モードそれぞれに対応するインパルス音の種類のデータが含まれていてもよい。モード設定部２７は、設定信号に基づいて判定部２４が外出モード、在宅モードであるときに検知対象とするインパルス音の種類を、判定部２４に設定する。
【００３５】
フィルタ２８は、ハイパスフィルタで構成されており、集音部２２が出力した音信号から低周波成分を除去して判定部２４に出力する。フィルタ２８が除去する低周波成分は、例えば２ｋＨｚ程度に設定されている。この低周波成分は、人間の耳が敏感に聞こえるとされる音の周波数であり、電気機器の報知音等はこの周波数にピークとなる周波数成分を含んでいることが多い。フィルタ２８によって集音部２２が生成した音信号から上記の低周波成分が除去されることにより、判定部２４が電気機器の報知音等を検知対象のインパルス音と誤検知することが抑制される。
【００３６】
また、制御部２６は、サーバ５から受信した制御信号に基づいて、スイッチ２１を制御するように構成されていてもよい。ユーザは、例えば携帯端末６を操作して、スイッチ２１のオンとオフとから一方を選択する。携帯端末６は、選択されたスイッチ２１のオン又はオフの情報を、電気回線ＮＴ１を介してサーバ５に通知する。サーバ５は、携帯端末６からの通知内容に基づいて、スイッチ２１のオン又はオフの情報を表す制御信号を生成し、制御部２６に送信する。制御部２６は、受信した制御信号に基づいて、スイッチ２１をオン又はオフする。
【００３７】
＜動作＞
次に、本実施形態の差込接続器１の動作について説明する。まず、判定部２４の動作モードが外出モードに設定されている場合の動作について説明する。
【００３８】
判定部２４の動作モードが外出モードに設定されている場合、判定部２４は、ガラスを叩く音、衝突音等の、不意に発生するイベントによるインパルス音の種類を検知対象とする。そして、判定部２４は、検知対象であるインパルス音の発生を検知してから判定時間Ｔ１内に、音信号の振幅が閾値Ｔｈ１以上となった場合、イベントが発生したと判定する（図３参照）。
【００３９】
ここでは、例えば侵入者が窓のガラスを叩き割って住宅へ侵入した場合を想定して説明する。
【００４０】
侵入者がガラスを割る際にガラスが叩かれることによってインパルス音が発生する。判定部２４は、このインパルス音を検知し、計時部２４１が計時を開始する。
【００４１】
ガラスを叩き割った侵入者は、窓を開けて住宅内に侵入し動き回る。侵入者が動くことによって、窓、ドア、引出し等を開ける、及び閉める音、足音、衣擦れ音等の様々な音が発生する。つまり、侵入者が窓のガラスを叩き割って住宅へ侵入する場合、ガラスを割った後に、侵入者の動作によってインパルス音以外の音が発生すると考えられる。判定部２４は、音信号の振幅と閾値Ｔｈ１とを比較することにより、侵入者の動作によって発生する音の有無を検知する。判定部２４は、ガラスが叩かれることによって発生したインパルス音を検知してから判定時間Ｔ１内に、侵入者の動作によって発生する音を検知することにより、ガラスを叩く音（インパルス音）の発生を伴うイベントが発生したと判定する。
【００４２】
制御部２６は、判定部２４が、外出モードであるときにイベントが発生したと判定したので、判定部２４の判定結果を通信部２５からサーバ５に送信させる。これにより、ガラスを叩くというイベントが発生したことが、サーバ５に通知される。サーバ５は、ガラスを叩くというイベントが発生したことが通知された場合、ユーザの携帯端末６にガラスを叩くというイベントが発生したことを通知する。また、サーバ５は、住宅に設けられたカメラ１０１、警報器１０２を、通信装置５１を介して制御可能に構成されており、カメラ１０１に撮影を実行させ、警報器１０２を鳴動させる。カメラ１０１は、撮影した画像又は動画をサーバ５、携帯端末６に送信する。更に、サーバ５は、ガラスを叩くというイベントが発生したことを管理会社７に通知する。管理会社７は、住宅に設けられた通話端末１０３に電話回線ＮＴ２を介して連絡し、安否の確認を行う。通話端末１０３は、ハンズフリー機能を有することが望ましい。なお、上述したサーバ５の動作は、一例であり、サーバ５は、上記以外の動作を行うように構成されていてもよい。
【００４３】
このように、差込接続器１は、判定部２４の動作モードが外出モードに設定されている場合、差込接続器１の周囲において、不意に発生するイベントによるインパルス音が発生したときに、サーバ５に異常を通知するセキュリティセンサとして機能する。
【００４４】
次に、判定部２４の動作モードが在宅モードに設定されている場合の動作について説明する。
【００４５】
判定部２４の動作モードが在宅モードに設定されている場合、判定部２４は、手を叩く音、指を鳴らす音、ノック音等の、ユーザが意図的に発生させるイベントによるインパルス音の種類を検知対象とする。そして、判定部２４は、規定時間Ｔ２内におけるインパルス音の検知回数が、複数回かつ上限回数以下である場合（図４参照）、イベントが発生したと判定する。
【００４６】
ここでは、例えば差込接続器１に電気機器４として照明器具４００が接続され（図２Ｂ参照）、在宅中のユーザが手を２回叩いた場合と、手を４回叩いた場合とを想定して説明する。
【００４７】
ユーザが手を叩くことによってインパルス音が発生する。判定部２４は、このインパルス音を検知し、カウンタ２４２が、規定時間Ｔ２内におけるインパルス音の検知回数をカウントする。判定部２４は、規定時間Ｔ２内で、手を叩くことによって発生したインパルス音を２回検知することにより、手を２回叩くというイベントが発生したと判定する。また、判定部２４は、規定時間Ｔ２内で、手を叩くことによって発生したインパルス音を４回検知することにより、手を４回叩くというイベントが発生したと判定する。
【００４８】
制御部２６は、判定部２４が、在宅モードであるときにイベントが発生したと判定したので、判定部２４の判定結果に応じてスイッチ２１を制御する。ここでは、制御部２６は、判定部２４の判定結果が手を２回叩くである場合、スイッチ２１をオンする。これにより、商用電源３００から照明器具４００に電源供給され、照明器具４００が点灯する。また、制御部２６は、判定部２４の判定結果が手を４回叩くである場合、スイッチ２１をオフする。これにより、照明器具４００への電源供給が遮断され、照明器具４００が消灯する。なお、上述したインパルス音の発生を伴うイベントの内容と、スイッチ２１のオンオフとの関係は一例であり、上記に限らない。
【００４９】
このように、差込接続器１は、判定部２４の動作モードが在宅モードに設定されている場合、ユーザが意図的に発生させたインパルス音によって、電気機器４を制御するリモートコントローラとして機能する。
【００５０】
＜効果＞
次に、本実施形態の差込接続器１が奏する効果について説明する。
【００５１】
以上説明したように、本実施形態の差込接続器１は、差込プラグ１１及びプラグ受１２を有する配線用の差込接続器であり、集音部２２と、判定部２４とを備える。集音部２２は、周囲の音を集音し、電気信号からなる音信号を生成する。判定部２４は、音信号に基づいて検知対象とする複数種類のインパルス音の有無を検知し、インパルス音の発生を伴うイベントが発生したか否かを判定する。判定部２４は、動作モードとして外出モード（第１モード）と在宅モード（第２モード）とを有しており、第１モードと第２モードとで検知対象であるインパルス音の種類が異なる。
【００５２】
この構成によれば、差込接続器１の周囲の状況等に応じて、検知対象とするインパルス音の種類を容易に切り替えることが可能となる。例えば、ユーザの外出中と在宅中とで、検知対象とするインパルス音の種類を容易に切り換えることが可能となる。これにより、一方の状況では検知対象に含めたいインパルス音の種類が、他方の状況では検知対象から除外したいような場合、判定部２４の動作モードを切り換えることにより、容易に対応することができる。例えば、判定部２４の動作モードが外出モードである場合に、手を叩く音（インパルス音）を検知対象から除外する、判定部２４の動作モードが在宅モードである場合に、ガラスを叩く音（インパルス音）を検知対象から除外するといった設定が可能となる。すなわち、差込接続器１は、周囲の状況等に応じて検知対象とするインパルス音の種類を容易に切り替えることができ、利便性の向上を図ることが可能となる。
【００５３】
また、差込接続器１は、通信部２５と、スイッチ２１と、制御部２６とを備えることが好ましい。通信部２５は、判定部２４の判定結果をサーバ５（外部機器）に送信することが好ましい。スイッチ２１は、差込プラグ１１とプラグ受１２との電気的な接続を、オンとオフとに切り換えることが好ましい。制御部２６は、通信部２５とスイッチ２１とを制御することが好ましい。また、制御部２６は、判定部２４が、イベントが発生したと判定したときの動作モードに応じて、通信部２５とスイッチ２１との少なくとも一方を制御することが好ましい。
【００５４】
この構成によれば、差込接続器１の周囲の状況等に応じて、検知対象のインパルス音の発生を伴うイベントが発生したと判定されたときの動作が異なるようにすることが可能となる。例えば、判定部２４の動作モードが外出モードである場合に、手を叩く音（インパルス音）が発生したときにスイッチ２１が制御されないようにすることができる。また、判定部２４の動作モードが在宅モードである場合に、ガラスを叩く音（インパルス音）が発生したときに、サーバ５に異常を通知しないようにすることができる。これにより、差込接続器１は、利便性のさらなる向上を図ることが可能となる。
【００５５】
制御部２６は、判定部２４が、イベントが発生したと判定したときの動作モードが外出モード（第１モード）である場合、通信部２５からサーバ５（外部機器）に判定部２４の判定結果を送信させることが好ましい。
【００５６】
この構成によれば、差込接続器１の周囲においてインパルス音の発生を伴うイベントが発生したと判定されたときに、サーバ５（外部機器）に異常を通知するセキュリティセンサとして差込接続器１を機能させることが可能となる。
【００５７】
また、制御部２６は、判定部２４が、イベントが発生したと判定したときの動作モードが在宅モード（第２モード）である場合、スイッチ２１のオンとオフとを制御することが好ましい。
【００５８】
この構成によれば、差込接続器１の周囲においてインパルス音の発生を伴うイベントが発生したと判定されたときに、プラグ受１２に接続された電気機器４を制御するリモートコントローラとして差込接続器１を機能させることが可能となる。また、差込接続器１は、リモートコントローラとして機能する場合、インパルス音の発生を伴うイベントが発生したと判定しても、サーバ５との通信は行わない。これにより、差込接続器１とサーバ５との間の通信トラフィックの低減を図ることが可能となる。
【００５９】
判定部２４は、動作モードが在宅モード（第２モード）であるとき、規定時間Ｔ２内にインパルス音を複数回検知した場合、イベントが発生したと判定することが好ましい。
【００６０】
この構成によれば、判定部２４の動作モードが在宅モードであるときに、意図せず発生した単発のインパルス音によって、このインパルス音の発生を伴うイベントが発生したと誤判定することが抑制される。これにより、差込接続器１は、検知対象のインパルス音の発生を伴うイベントの発生有無の判定精度の向上を図ることが可能となる。
【００６１】
また、判定部２４は、規定時間Ｔ２内におけるインパルス音の検知回数が上限回数を上回った場合、イベントが発生していないと判定することが好ましい。
【００６２】
この構成によれば、判定部２４の動作モードが在宅モードであるときに、例えば機械の動作によってインパルス音が連続的、かつ継続的に発生した場合、このインパルス音によってイベントが発生したと誤判定することが抑制される。これにより、差込接続器１は、検知対象のインパルス音の発生を伴うイベントの発生有無の判定精度の向上を図ることが可能となる。
【００６３】
集音部２２は、集音した音の音圧が大きくなるほど振幅の大きな音信号を生成することが好ましい。判定部２４は、動作モードが外出モード（第１モード）であるとき、インパルス音を検知してから判定時間Ｔ１内に、音信号の振幅が閾値Ｔｈ１以上となった場合、イベントが発生したと判定することが好ましい。
【００６４】
この構成によれば、判定部２４の動作モードが外出モードであるときに、単発のインパルス音によって、このインパルス音の発生を伴うイベントが発生したと誤判定することが抑制される。これにより、差込接続器１は、検知対象のインパルス音の発生を伴うイベントの発生有無の判定精度の向上を図ることが可能となる。また、イベントの発生の有無の誤判定によって、サーバ５に異常を誤って通知されることが抑制される。
【００６５】
差込接続器１は、集音部２２が生成した音信号から低周波成分を除去して判定部２４に出力するフィルタ２８を備えることが好ましい。
【００６６】
上述したように、電気機器の報知音等は、人間の耳が敏感に聞こえるとされる周波数（例えば２ｋＨｚ）にピークとなる周波数成分を含んでいることが多い。フィルタ２８が、集音部２２が生成した音信号から低周波成分（例えば２ｋＨｚ）を除去することにより、判定部２４が、電気機器の報知音等をインパルス音と誤検知することが抑制される。これにより、差込接続器１は、検知対象のインパルス音の発生を伴うイベントの発生有無の判定精度の向上を図ることが可能となる。
【００６７】
また、手を叩く音は、手の叩き方、手の大きさ（手と手との間の空気の容積）等によって周波数特性に差が生じる。この周波数特性の差は、特に低周波域に大きな差が現れる。したがって、フィルタ２８が、集音部２２が生成した音信号から低周波成分を除去することにより、手の叩き方、手の大きさの違いによる手を叩く音の周波数特性の差の影響が小さくなる。これにより、判定部２４による手を叩く音（インパルス音）の検知の精度の向上を図ることが可能となる。
【００６８】
また、差込接続器１は、フィルタ２８と集音部２２との間に音圧判定部が設けられた構成であってもよい。音圧判定部は、集音部２２が生成した音信号に基づいて、集音部２２が集音した音の音圧が閾値以上であるか否かを判定する。フィルタ２８は、音圧判定部の判定結果に基づいて、音圧が閾値以上の音を変換した音信号のみから低周波成分を除去する。また、判定部２４は、音圧判定部の判定結果に基づいて、音圧が閾値以上の音を変換した音信号のみに基づいて、検知対象のインパルス音の発生を伴うイベントの発生有無の判定する。これにより、大きな音が発生した場合にのみ、フィルタ２８、及び判定部２４が動作するので、フィルタ２８、判定部２４の処理の軽減を図ることが可能となる。
【００６９】
また、集音部２２は、筐体１０の前面に形成された集音孔１３を通して、差込接続器１の周囲の音を集音するように構成されている。差込接続器１の筐体１０の前方には、プラグ受１２に差込プラグ４１を接続するための空間が設けられるので、集音部２２は、差込接続器１の周囲の音を効率よく集音することが可能となる。更に、集音孔１３は、プラグ受１２の上方に形成されているので、プラグ受１２に差込プラグ４１が接続された場合であっても、この差込プラグ４１によって塞がれない。これにより、集音部２２は、差込プラグ４１による遮音が抑制され、差込接続器１の周囲の音を効率よく集音することが可能となる。
【００７０】
また、差込接続器１は、差込プラグ１１をコンセント３のプラグ受３１に接続するのみで、セキュリティセンサとしての機能を容易に実現することが可能となる。また、差込接続器１は、配線器具としての機能のみを有する差込接続器と外観上の差が小さく、侵入者にセキュリティセンサであることが気付かれにくく、侵入者によって取り外されることが抑制される。
【００７１】
また、差込接続器１は、ユーザが手動で操作することなく、セキュリティセンサ、リモートコントローラとして機能させることができるので、操作しにくい位置への設置による利便性の低下は抑制される。また、差込接続器１は、侵入者に気付かれにくい位置に設置することにより、侵入者に気付かれて取り外されることが抑制される。
【００７２】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００７３】
１  差込接続器
１１  差込プラグ
１２  プラグ受
２１  スイッチ
２２  集音部
２４  判定部
２５  通信部
２６  制御部
２８  フィルタ
５  サーバ（外部機器）
Ｔ１  判定時間
Ｔ２  規定時間
Ｔｈ１  閾値
【図１】
0006704178.tif 000002
【図２】
0006704178.tif 000003
【図３】
0006704178.tif 000004
【図４】
0006704178.tif 000005